(57)【要約】【課題】  ラベル供給部，ラベル貼付部及び巻取部の仕様が異なっても、１種の本体を共用して取り付けることができるようにし、仕様の異なる装置を容易に作成できるようにする。【解決手段】  １種の本体１に、供給リール１０からラベルを供給する仕様の異なる複数のラベル供給ユニットＵＡと、ラベル供給ユニットＵＡから供給されたラベルを物品に貼付する仕様の異なる複数のラベル貼付ユニットＵＢと、ラベル貼付ユニットＵＢでのラベル貼付後にラベルが仮着されていた帯状台紙が生じるときこの帯状台紙を巻き取る仕様の異なる複数の巻取ユニットＵＣとを、ラベル供給ユニットＵＡ，ラベル貼付ユニットＵＢ及び巻取ユニットＵＣの各ユニットグループ（ＧＡ，ＧＢ，ＧＣ）毎に、夫々、選択的に個別に取り付け可能にした。【選択図】  図３
2006016022.tif 000002
【特許請求の範囲】
【請求項１】
１種の本体に、供給リールからラベルを供給する仕様の異なる複数のラベル供給ユニットと、該ラベル供給ユニットから供給されたラベルを物品に貼付する仕様の異なる複数のラベル貼付ユニットと、該ラベル貼付ユニットでのラベル貼付後に該ラベルが仮着されていた帯状台紙が生じるとき該帯状台紙を巻き取る仕様の異なる複数の巻取ユニットとを、当該ラベル供給ユニット，ラベル貼付ユニット及び巻取ユニットの各ユニットグループ毎に、夫々、選択的に個別に取り付け可能にしたことを特徴とするラベル貼付装置。
【請求項２】
上記少なくともいずれか１つのユニットグループにおいて、当該ユニットグループの各複数のユニットのうち少なくとも２つのユニットに同形の被取付部を設け、上記本体に、上記被取付部が共用して取り付け可能な共用取付部を設けたことを特徴とする請求項１記載のラベル貼付装置。
【請求項３】
上記全ユニットグループにおいて、当該ユニットグループの各複数のユニットのうち少なくとも２つのユニットに同形の被取付部を設け、上記本体がわに、上記被取付部が共用して取り付け可能な共用取付部を設けたことを特徴とする請求項２記載のラベル貼付装置。
【請求項４】
上記少なくともいずれか１つのユニットグループにおいて、当該ユニットグループの各複数のユニットのうち少なくとも２つのユニットに同形の被取付部を設け、
該ユニットの被取付部が共用して取り付け可能な共用取付部を有した取付体を備え、
上記本体に、上記取付体が取り付けられる取付体取付部を設けたことを特徴とする請求項１，２または３記載のラベル貼付装置。
【請求項５】
上記取付体に、上記同形の被取付部が設けられたユニットに共用して用いられる共用部品を搭載したことを特徴とする請求項４記載のラベル貼付装置。
【発明の詳細な説明】
【技術分野】
【０００１】
本発明は、物品にラベルを貼付するラベル貼付装置に係り、特に、部品をユニット化して本体に取り付け可能にしたラベル貼付装置に関する。
【背景技術】
【０００２】
従来、一般的なラベル貼付装置は、例えば、本体に、ラベルが所定間隔で仮着された帯状台紙が巻装された供給リールを備えたラベル供給部と、ラベル供給部の供給リールから供給されたラベルを物品に貼付するラベル貼付部と、ラベル貼付部でのラベル貼付後にラベルが仮着されていた帯状台紙を巻き取る巻取リールを備えた巻取部とを備えて構成されている。
【０００３】
また、従来においては、上記のラベル貼付装置において、使用時に物品が変わって種類の異なるラベルに交換する際、この交換を容易にするために、ラベル供給部をユニット化して本体に対して着脱可能にし、予め、このラベル供給部を複数用意して、これらの各ラベル供給部に種類の違うラベルを夫々装着しておき、ラベルの種類の交換時に、ラベル供給部を交換するだけで、容易に対応できるようにしたものも知られている（例えば特許文献１参照）。
【０００４】
【特許文献１】特開平１０−１０１０４６号公報
【発明の開示】
【発明が解決しようとする課題】
【０００５】
ところで、上記一般的なラベル貼付装置にあっては、客先の要請によって、ラベル供給部，ラベル貼付部及び巻取部の仕様が異なると、その都度、本体及び各部を仕様に合わせてこれらを設計し，製造し及び組み立てなければならないので、本体及び各部の形状や大きさの異なった種々の機種が存在し、管理が煩雑で効率が悪いという問題があった。
【０００６】
各部の仕様としては、例えば、ラベル供給部においては、標準の大きさの供給リールを備えたラベル供給部，大型の供給リールを備えたラベル供給部，装置を横置きしたときに帯状台紙の脱落を防止するカバーを有したカバー付供給リールを備えたラベル供給部等がある。
また、ラベル貼付部においては、帯状台紙から剥離されたラベルを物品に貼付する貼付ローラを備えたローラ式ラベル貼付部、帯状台紙からラベルを吸着するとともに吸着したラベルを押圧して物品に貼付し更にエアーを吹き付ける所謂プレスジェット式ラベル貼付部、帯状台紙からラベルを吸着するとともに吸着したラベルを単に吹き付けて物品に貼付する所謂シリンダジェット式ラベル貼付部、帯状台紙からラベルを吸着するとともに吸着したラベルを押圧して物品に貼付する所謂シリンダ式ラベル貼付部等がある。
更に、巻取部としては、標準の大きさの巻取リールを備えた巻取部，大型の巻取リールを備えた巻取部等がある。
【０００７】
また、上記後者のラベル供給部をユニット化したラベル貼付装置にあっても、物品が変わって種類の異なるラベルに交換する際、ラベル供給部を交換できるようにしてはいるが、各ラベル供給部は形状や大きさが同じ仕様になっており、仕様が同じラベル供給部においてのみ有効になるのであり、客先の要請によって、ラベル供給部，ラベル貼付部及び巻取部の仕様が異なると、これらへの対応ができないという問題があった。
【０００８】
本発明は上記の問題点に鑑みて為されたもので、ラベル供給部，ラベル貼付部及び巻取部の仕様が異なっても、１種の本体を共用して取り付けることができるようにし、仕様の異なる装置を容易に作成できるようにしたラベル貼付装置を提供することを目的とする。
【課題を解決するための手段】
【０００９】
上記課題を解決するため、本発明のラベル貼付装置は、１種の本体に、供給リールからラベルを供給する仕様の異なる複数のラベル供給ユニットと、該ラベル供給ユニットから供給されたラベルを物品に貼付する仕様の異なる複数のラベル貼付ユニットと、該ラベル貼付ユニットでのラベル貼付後に該ラベルが仮着されていた帯状台紙が生じるとき該帯状台紙を巻き取る仕様の異なる複数の巻取ユニットとを、当該ラベル供給ユニット，ラベル貼付ユニット及び巻取ユニットの各ユニットグループ毎に、夫々、選択的に個別に取り付け可能にした構成としている。
【００１０】
これにより、ラベル貼付装置を組み立てるときは、客先からの仕様にあわせて、ラベル供給ユニット，ラベル貼付ユニット及び巻取ユニットの各ユニットグループ毎に、対応するラベル供給ユニット，ラベル貼付ユニット及び巻取ユニットを選択する。そして、１種の本体に、選択したラベル供給ユニット，ラベル貼付ユニット及び巻取ユニットを個別に組付ける。この場合、どのユニットを選択しても、１種の本体を共用してこれに取り付けることができ、組み立てが容易に行われる。即ち、ラベル供給部，ラベル貼付部及び巻取部の仕様が異なっても、１種の本体を共用して取り付けることができるようになり、仕様の異なる装置を容易に作成できるようになる。
【００１１】
そして、必要に応じ、上記少なくともいずれか１つのユニットグループにおいて、当該ユニットグループの各複数のユニットのうち少なくとも２つのユニットに同形の被取付部を設け、上記本体に、上記被取付部が共用して取り付け可能な共用取付部を設けた構成としている。
これにより、同形の被取付部が設けられたユニットの選択が行なわれた場合、取り付けの際には、本体には、被取付部が共用して取り付け可能な共用取付部が設けられているので、組み立てが容易に行われる。即ち、逐一、仕様に合わせて本体や各部を製造しなくても、共用取付部を設けるだけで対応できるので、製造効率が大幅に向上させられる。
【００１２】
また、必要に応じ、上記全ユニットグループにおいて、当該ユニットグループの各複数のユニットのうち少なくとも２つのユニットに同形の被取付部を設け、上記本体がわに、上記被取付部が共用して取り付け可能な共用取付部を設けた構成としている。
これにより、全ユニットグループにおいて、同形の被取付部が設けられたユニットの選択が行なわれた場合、取り付けの際には、本体がわには、被取付部が共用して取り付け可能な共用取付部が設けられているので、組み立てが容易に行われる。即ち、逐一、仕様に合わせて本体や各部を製造しなくても、共用取付部を設けるだけで対応できるので、製造効率が大幅に向上させられる。
【００１３】
更に、必要に応じ、上記少なくともいずれか１つのユニットグループにおいて、当該ユニットグループの各複数のユニットのうち少なくとも２つのユニットに同形の被取付部を設け、該ユニットの被取付部が共用して取り付け可能な共用取付部を有した取付体を備え、上記本体に、上記取付体が取り付けられる取付体取付部を設けた構成としている。
これにより、同形の被取付部が設けられたユニットの選択が行なわれた場合、取り付けの際には、どのユニットを選択しても、取付体を介して本体に取り付けることができ、組み立てが容易に行われる。即ち、逐一、仕様に合わせて本体や各部を製造しなくても取付体に共用取付部を設けるだけで対応できるので、製造効率が大幅に向上させられる。
【００１４】
また、上記取付体に、上記同形の被取付部が設けられたユニットに共用して用いられる共用部品を搭載した構成としている。取付体に共用部品を搭載することができるので、組み立て効率が向上させられる。
【発明の効果】
【００１５】
本発明のラベル貼付装置によれば、ラベル貼付装置を組み立てるときは、客先からの仕様にあわせて、ラベル供給ユニット，ラベル貼付ユニット及び巻取ユニットの各ユニットグループ毎に、対応するラベル供給ユニット，ラベル貼付ユニット及び巻取ユニットを選択し、１種の本体に、選択したラベル供給ユニット，ラベル貼付ユニット及び巻取ユニットを個別に組付けるので、どのユニットを選択しても、１種の本体を共用してこれに取り付けることができ、そのため、組み立てを容易に行なうことができる。即ち、ラベル供給部，ラベル貼付部及び巻取部の仕様が異なっても、１種の本体を共用して取り付けることができるので、仕様の異なる装置を容易に作成できるようになり、製造効率を大幅に向上させることができる。
また、客先からの要請にあわせて、その都度、設計作業を行う必要が無くなることから、注文の受注から納品までの期間を短縮できる他、共用部品の搭載によりパーツ部品等の管理も容易になるなど、相乗の効果を奏する。
【発明を実施するための最良の形態】
【００１６】
以下、添付図面に基づいて、本発明の実施の形態に係るラベル貼付装置について詳細に説明する。
図１乃至図５に示すように、本発明の実施の形態に係るラベル貼付装置は、１種の本体１に、供給リール１０からラベル（図示せず）を供給する仕様の異なる複数のラベル供給ユニットＵＡと、ラベル供給ユニットＵＡから供給されたラベルを物品（図示せず）に貼付する仕様の異なる複数のラベル貼付ユニットＵＢと、ラベル貼付ユニットＵＢでのラベル貼付後に該ラベルが仮着されていた帯状台紙（図示せず）が生じるときこの帯状台紙を巻取リール５０で巻き取る仕様の異なる複数の巻取ユニットＵＣとを、当該ラベル供給ユニットＵＡ，ラベル貼付ユニットＵＢ及び巻取ユニットＵＣの各ユニットグループ（ＧＡ，ＧＢ，ＧＣ）毎に、夫々、選択的に個別に取り付け可能にしている。
【００１７】
詳しくは、本体１はボックス状に形成され、ラベル供給ユニットＵＡから供給されるラベルを送るためのフィードローラ２や、ラベルをガイドするガイドプレート３などが備えられている。また内部には、各ユニット（ＵＡ，ＵＢ，ＵＣ）との連携を行なう各種機構（図示せず）が組み込まれている。
【００１８】
ラベル供給ユニットＵＡは、図２に示すように、標準の大きさの供給リール１０（ａ）を備えた標準ラベル供給ユニットＵＡ（ＵＡ１），大型の供給リール１０（ｂ）を備えた大型ラベル供給ユニットＵＡ（ＵＡ２），装置を横置きしたときに帯状台紙の脱落を防止するカバー１１を有したカバー付供給リール１０（ｃ）を備えたカバー付ラベル供給ユニットＵＡ（ＵＡ３）の３種類のユニットＵＡ（ＵＡ１，ＵＡ２，ＵＡ３）が用意されている。
各リール１０には、ラベルが所定間隔で仮着された帯状台紙が巻回されたロール（図示せず）が装着され、あるいは、帯状台紙を必要とせずラベル表面がシリコン層で裏面が粘着層から成る所謂台紙なしラベル（図示せず）が巻回されたロール（図示せず）が装着される。
【００１９】
そして、このラベル供給ユニットＵＡ（ＵＡ１，ＵＡ２，ＵＡ３）のグループ（ＧＡ）において、当該ユニットグループ（ＧＡ）の各複数のユニットＵＡ（ＵＡ１，ＵＡ２，ＵＡ３）のうち少なくとも２つのユニット、実施の形態では、全部のユニットＵＡ（ＵＡ１，ＵＡ２，ＵＡ３）に同形の被取付部１２が設けられている。被取付部１２は、リール１０を支持する支持部１３に形成された取付ビスＳの複数の取付孔１４で構成されている。
一方、本体１には、被取付部１２が共用して取り付け可能な共用取付部１５が設けられている。共用取付部１５は、本体１の上部に形成され被取付部１２に対応した取付ビスＳの複数の雌ネジ部１６で構成されている。
【００２０】
ラベル貼付ユニットＵＢは、図３及び図４に示すように、帯状台紙から剥離されたラベルを物品に貼付する貼付ローラ２０を備えたローラ式ラベル貼付ユニットＵＢ（ＵＢ１），帯状台紙からラベルを吸着するとともに吸着したラベルを押圧して物品に貼付し更にエアーを吹き付ける所謂プレスジェット式ラベル貼付ユニットＵＢ（ＵＢ２），帯状台紙からラベルを吸着するとともに吸着したラベルを単に吹き付けて物品に貼付する所謂シリンダジェット式ラベル貼付ユニットＵＢ（ＵＢ３），帯状台紙からラベルを吸着するとともに吸着したラベルを押圧して物品に貼付する所謂シリンダ式ラベル貼付ユニットＵＢ（ＵＢ４）の４種類が用意される。
【００２１】
ローラ式ラベル貼付ユニットＵＢ（ＵＢ１）は、図３に示すように、本体１の一側に取り付けられ本体１を覆うカバー２１に貼付ローラ２０を付設して構成されている。
プレスジェット式ラベル貼付ユニットＵＢ（ＵＢ２）は、図４に示すように、ラベルを吸着する吸着板２２と、吸着板２２を進退動させるエアシリンダ装置（図示せず）と、吸着板２２にラベルを吸着させるとともに吸着板２２の進出時にラベルを押圧して物品に貼付し更にエアーを吹き付けるエア吸引噴射装置（図示せず）とを備えている。
【００２２】
シリンダジェット式ラベル貼付ユニットＵＢ（ＵＢ３）は、図４に示すように、ラベルを吸着する吸着板２２と、吸着板２２を進退動させるエアシリンダ装置（図示せず）と、吸着板２２にラベルを吸着させるとともに吸着板２２の進出時にラベルを物品に向けて吹き付けるエア吸引噴射装置（図示せず）とを備えている。
シリンダ式ラベル貼付ユニットＵＢ（ＵＢ４）は、図４に示すように、ラベルを吸着する吸着板２２と、吸着板２２を進退動させるエアシリンダ装置（図示せず）と、吸着板２２にラベルを吸着させるとともに吸着板２２の進出時にラベルを押圧して物品に貼付し吸着板２２の吸着を解除するエア吸引噴射装置（図示せず）とを備えている。
【００２３】
そして、このラベル貼付ユニットＵＢ（ＵＢ１，ＵＢ２，ＵＢ３，ＵＢ４）のグループ（ＧＢ）において、図３に示すように、複数のユニットＵＢ（ＵＢ１，ＵＢ２，ＵＢ３，ＵＢ４）のうち１つのユニットであるローラ式ラベル貼付ユニットＵＢ（ＵＢ１）のカバー２１には、被取付部２３が設けられている。被取付部２３は、カバー２１の周囲に設けられ取付ビスＳの複数の取付孔２４で構成されている。
一方、本体１には、被取付部２３が取り付け可能な取付部２５が設けられている。取付部２５は、本体１に形成され被取付部２３に対応した取付ビスＳの複数の雌ネジ部２６で構成されている。
【００２４】
また、ラベル貼付ユニットＵＢ（ＵＢ１，ＵＢ２，ＵＢ３，ＵＢ４）のグループ（ＧＢ）において、図４に示すように、当該ユニットグループ（ＧＢ）の各複数のユニットのうち少なくとも２つのユニット、実施の形態では、３つのユニットＵＢ（ＵＢ２，ＵＢ３，ＵＢ４）に、同形の被取付部２７が設けられている。即ち、プレスジェット式ラベル貼付ユニットＵＢ（ＵＢ２），シリンダジェット式ラベル貼付ユニットＵＢ（ＵＢ３），シリンダ式ラベル貼付ユニットＵＢ（ＵＢ４）の３種類のユニットに、同形の被取付部２７（図４の各ユニットＵＢ（ＵＢ２，ＵＢ３，ＵＢ４）の裏側にある）が設けられている。被取付部２７は、取付ビスＳの複数の雌ネジ部（図示せず）で構成されている。
【００２５】
このプレスジェット式ラベル貼付ユニットＵＢ（ＵＢ２），シリンダジェット式ラベル貼付ユニットＵＢ（ＵＢ３），シリンダ式ラベル貼付ユニットＵＢ（ＵＢ４）の３種類のユニットに対しては、該ユニットの被取付部２７が共用して取り付け可能な共用取付部３１を有した取付体３０が設けられている。
取付体３０は、取付板３２を備え、この取付板３２の表面が、プレスジェット式ラベル貼付ユニットＵＢ（ＵＢ２），シリンダジェット式ラベル貼付ユニットＵＢ（ＵＢ３），シリンダ式ラベル貼付ユニットＵＢ（ＵＢ４）のいずれかのユニットが取り付けられる取付面を構成し、取付板３２の裏面に、取り付けられたユニットＵＢ（ＵＢ２，ＵＢ３，ＵＢ４）のエアシリンダ装置等にエアを供給するエア供給ボックス３３を備えている。即ち、取付体３０に、同形の被取付部２７が設けられたユニットＵＢ（ＵＢ２，ＵＢ３，ＵＢ４）に共用して用いられるエア供給ボックス３３等の共用部品が搭載されている。
共用取付部３１は、取付板３２に設けられ被取付部２７に対応した取付ビスＳの複数の取付孔３４で構成されている。
【００２６】
一方、本体１には、取付体３０が取り付けられる取付体取付部３５が設けられている。詳しくは、取付体３０の取付板３２に、上記ローラ式ラベル貼付ユニットＵＢ（ＵＢ１）のカバー２１と同等のカバー３６を設けている。カバー３６には、上記と同様に取付ビスＳの取付孔２４からなる被取付部２３が形成されている。そして、取付体取付部３５を、上記の取付ビスＳの雌ネジ部２６で構成さる取付部２５で構成している。また、取付板３２には固定板３７が突設され、この固定板３７には、ラベル供給ユニットＵＡ（ＵＡ１，ＵＡ２，ＵＡ３）の支持部１３に固定する取付ビスＳの取付孔２４からなる被取付部２３が形成されている。
【００２７】
また、図３に示すように、ローラ式ラベル貼付ユニットＵＢ（ＵＢ１）に対応して、供給リール１０からの帯状台紙からラベルを剥離する剥離板４０が設けられている。また、図４に示すように、プレスジェット式ラベル貼付ユニットＵＢ（ＵＢ２），シリンダジェット式ラベル貼付ユニットＵＢ（ＵＢ３），シリンダ式ラベル貼付ユニットＵＢ（ＵＢ４）に対応して、供給リール１０からのラベルを吸着板２２の位置に位置決めするガイド板４１が設けられている。
剥離板４０及びガイド板４１には同形の被取付部４２が設けられている。被取付部４２は、取付ビスＳの複数の取付孔４３で構成されている。
一方、本体１には、被取付部４２が共用して取り付け可能な共用取付部４４が設けられている。共用取付部４４は、本体１から突設されたロッド４５に設けられ本体１の被取付部４２に対応した取付ビスＳの複数の雌ネジ部４６で構成されている。
【００２８】
巻取ユニットＵＣは、図５に示すように、標準の大きさの巻取リール５０（ａ）を備えた標準巻取ユニットＵＣ（ＵＣ１），大型の巻取リール５０（ｂ）を備えた大型巻取ユニットＵＣ（ＵＣ２）の２種類が用意される。
そして、この巻取ユニットＵＣ（ＵＣ１，ＵＣ２）グループ（ＧＣ）において、当該ユニットグループ（ＧＣ）の各複数のユニットのうち少なくとも２つのユニット、実施の形態では、全部のユニットに同形の被取付部５１が設けられている。被取付部５１は、巻取リール５０を支持し基端が本体１の切欠き孔５２に挿入される支持部５３の当該基端部に設けられ取付ビスＳの複数の取付孔５４で構成されている。
一方、本体１には、被取付部５１が共用して取り付け可能な共用取付部５５が設けられている。共用取付部５５は、本体１の内部に形成され被取付部５１に対応した取付ビスＳの複数の雌ネジ部５６で構成されている。
【００２９】
また、実施の形態においては、帯状台紙を必要とせずラベル表面がシリコン層で裏面が粘着層から成る所謂台紙なしラベルが巻回されたロールが装着されたときは、巻取ユニットＵＣ（ＵＣ１，ＵＣ２）が不要になるので、本体１の切欠き孔５２を塞ぐめくら板５７が用意されている。めくら板５７には取付ビスＳの複数の取付孔５８が形成される一方、本体１には取付ビスＳの複数の雌ネジ部５９が形成されている。
【００３０】
従って、本実施の形態に係るラベル貼付装置を組み立てるときは、客先からの仕様にあわせて、ラベル供給ユニットＵＡ（ＵＡ１，ＵＡ２，ＵＡ３），ラベル貼付ユニットＵＢ（ＵＢ１，ＵＢ２，ＵＢ３，ＵＢ４）及び巻取ユニットＵＣ（ＵＣ１，ＵＣ２）の各ユニットグループ（ＧＡ，ＧＢ，ＧＣ）毎に、対応するラベル供給ユニットＵＡ（ＵＡ１，ＵＡ２，ＵＡ３），ラベル貼付ユニットＵＢ（ＵＢ１，ＵＢ２，ＵＢ３，ＵＢ４）及び巻取ユニットＵＣ（ＵＣ１，ＵＣ２）を選択する。また、剥離板４０，ガイド板４１及びめくら板５７も、選択したユニットに対応して適宜選択する。そして、１種の本体１に、選択したラベル供給ユニットＵＡ（ＵＡ１，ＵＡ２，ＵＡ３），ラベル貼付ユニットＵＢ（ＵＢ１，ＵＢ２，ＵＢ３，ＵＢ４）及び巻取ユニットＵＣ（ＵＣ１，ＵＣ２）を組付ける。また、剥離板４０，ガイド板４１及びめくら板５７も必要に応じて組付ける。
【００３１】
この場合、ラベル供給ユニットＵＡ（ＵＡ１，ＵＡ２，ＵＡ３）においては、図２に示すように、標準ラベル供給ユニットＵＡ（ＵＡ１），大型ラベル供給ユニットＵＡ（ＵＡ２），カバー付ラベル供給ユニットＵＡ（ＵＡ３）の３種類のユニットの内からいずれかが選択される。そして取り付けの際には、全部のユニットに同形の被取付部１２が設けられている一方、本体１には、被取付部１２が共用して取り付け可能な共用取付部１５が設けられているので、どのユニットを選択しても、本体１の共用取付部１５に取り付けることができ、組み立てが容易に行われる。即ち、逐一、仕様に合わせて本体１やラベル供給部を設計および製造しなくても、共用取付部１５を設けるだけで対応できるので、製造効率が大幅に向上させられる。
【００３２】
また、ラベル貼付ユニットＵＢ（ＵＢ１，ＵＢ２，ＵＢ３，ＵＢ４）においては、図３及び図４に示すように、ローラ式ラベル貼付ユニットＵＢ（ＵＢ１），プレスジェット式ラベル貼付ユニットＵＢ（ＵＢ２），シリンダジェット式ラベル貼付ユニットＵＢ（ＵＢ３），シリンダ式ラベル貼付ユニットＵＢ（ＵＢ４）の４種類のユニットからいずれかが選択される。
【００３３】
ローラ式ラベル貼付ユニットＵＢ（ＵＢ１）が選択されたときは、図３に示すように、ローラ式ラベル貼付ユニットＵＢ（ＵＢ１）の被取付部２３を、本体１の取付部２５に取り付ける。この場合、本体１には予め取付部２５が設けられているので、ローラ式ラベル貼付ユニットＵＢ（ＵＢ１）の組み立てが容易に行われる。
また、ローラ式ラベル貼付ユニットＵＢ（ＵＢ１）に対応した剥離板４０を取り付ける。この場合も、剥離板４０の被取付部４２を本体１のロッド４５に設けた共用取付部４４に取り付けるだけでよいので、組み立てが容易に行われる。
【００３４】
また、ラベル貼付ユニットＵＢ（ＵＢ１，ＵＢ２，ＵＢ３，ＵＢ４）のグループ（ＧＢ）において、図４に示すように、プレスジェット式ラベル貼付ユニットＵＢ（ＵＢ２），シリンダジェット式ラベル貼付ユニットＵＢ（ＵＢ３），シリンダ式ラベル貼付ユニットＵＢ（ＵＢ４）の３種類のユニットのいずれかが選択されたときは、先ず、選択されたユニットを取付体３０に取り付ける。この際には、ユニットの被取付部２７を取付体３０の共用取付部３１に取り付ける。この場合、３種類のユニットに同形の被取付部２７が設けられている一方、取付体３０には被取付部２７が共用して取り付け可能な共用取付部３１が設けられているので、どのユニットを選択しても、取付体３０の共用取付部３１に取り付けることができ、組み立てが容易に行われる。
また、取付体３０に、同形の被取付部２７が設けられたユニットＵＢ（ＵＢ２，ＵＢ３，ＵＢ４）に共用して用いられるエア供給ボックス３３等の共用部品を搭載したので、それだけ、組み立て効率が向上させられる。
【００３５】
次に、選択されたユニットを取付た取付体３０を本体１の取付体取付部３５に取り付ける。この場合、この場合、本体１には予め取付部２５が設けられているので、取付体３０の組み立てが容易に行われる。
即ち、この場合、３種類のユニットＵＢ（ＵＢ２，ＵＢ３，ＵＢ４）から、どのユニットを選択しても、取付体３０を介して本体１に取り付けることができ、組み立てが容易に行われる。即ち、逐一、仕様に合わせて本体１やラベル貼付部を設計および製造しなくても、共用取付部３１を設けるだけで対応できるので、製造効率が大幅に向上させられる。
また、３種類のユニットＵＢ（ＵＢ２，ＵＢ３，ＵＢ４）に対応したガイド板４１を取り付ける。この場合も、ガイド板４１の被取付部４２を本体１のロッド４５に設けた共用取付部４４に取り付けるだけでよいので、組み立てが容易に行われる。
【００３６】
更に、巻取ユニットＵＣ（ＵＣ１，ＵＣ２）においては、図５に示すように、標準巻取ユニットＵＣ（ＵＣ１），大型巻取ユニットＵＣ（ＵＣ２）の２種類のいずれかが選択される。また、帯状台紙を必要とせずラベル表面がシリコン層で裏面が粘着層から成る所謂台紙なしラベルが巻回されたロールが装着されるときは、巻取ユニットＵＣ（ＵＣ１，ＵＣ２）が不要になるので、この場合には、めくら板５７を選択する。
そして取り付けの際には、全部のユニットＵＣ（ＵＣ１，ＵＣ２）に同形の被取付部５１が設けられている一方、本体１には、被取付部５１が共用して取り付け可能な共用取付部５５が設けられているので、どのユニットＵＣ（ＵＣ１，ＵＣ２）を選択しても、本体１の共用取付部５５に取り付けることができ、組み立てが容易に行われる。即ち、逐一、仕様に合わせて本体１や巻取部を設計および製造しなくても、共用取付部５５を設けるだけで対応できるので、製造効率が大幅に向上させられる。
また、めくら板５７を取り付けるときは、めくら板５７の取付孔５８に取付ビスＳを挿入して本体１の雌ネジ部５９に取り付けるだけでよいので、組み立てが容易に行われる。
【００３７】
図１には、ラベル供給ユニットＵＡにおいて、標準ラベル供給ユニットＵＡ（ＵＡ１）を選択し、ラベル貼付ユニットＵＢにおいて、プレスジェット式ラベル貼付ユニットＵＢ（ＵＢ２）を選択し、巻取ユニットＵＣにおいて、標準巻取ユニットＵＣ（ＵＣ１）を選択して、本体１に組み付けた状態を示す。
また、図３には、ラベル供給ユニットＵＡにおいて、標準ラベル供給ユニットＵＡ（ＵＡ１）を選択し、ラベル貼付ユニットＵＢにおいて、ローラ式ラベル貼付ユニットＵＢ（ＵＢ１）を選択し、巻取ユニットＵＣにおいて、標準巻取ユニットＵＣ（ＵＣ１）を選択して、本体１に組み付けた状態を示す。
このように、ラベル供給ユニットＵＡ，ラベル貼付ユニットＵＢ，巻取ユニットＵＣの仕様が異なっても、１種の本体１を共用してこれらを取り付けることができるようになり、仕様の異なる装置を容易に作成できるようになる。
【００３８】
尚、上記実施の形態において、各ユニット（ＵＡ，ＵＢ，ＵＣ）の異なる仕様の種類や数は上述したものに限定されるものではなく、適宜変更してよいことは勿論である。
【図面の簡単な説明】
【００３９】
【図１】本発明の実施の形態に係るラベル貼付装置をその組み立て状態の一例で示す斜視図である。
【図２】本発明の実施の形態に係るラベル貼付装置においてラベル供給ユニットのグループをその組み付ける状態で示す斜視図である。
【図３】本発明の実施の形態に係るラベル貼付装置においてラベル貼付ユニットのグループの内１つのラベル貼付ユニットをその組み付ける状態で示す斜視図である。
【図４】本発明の実施の形態に係るラベル貼付装置においてラベル貼付ユニットのグループの内他のラベル貼付ユニットをその組み付ける状態で示す斜視図である。
【図５】本発明の実施の形態に係るラベル貼付装置において巻取ユニットのグループをその組み付ける状態で示す斜視図である。
【符号の説明】
【００４０】
１  本体
ＵＡ  ラベル供給ユニット
ＵＡ１  標準ラベル供給ユニット
ＵＡ２  大型ラベル供給ユニット
ＵＡ３  カバー付ラベル供給ユニット
ＵＢ  ラベル貼付ユニット
ＵＢ１  ローラ式ラベル貼付ユニット
ＵＢ２  プレスジェット式ラベル貼付ユニット
ＵＢ３  シリンダジェット式ラベル貼付ユニット
ＵＢ４  シリンダ式ラベル貼付ユニット
ＵＣ  巻取ユニット
ＵＣ１  標準巻取ユニット
ＵＣ２  大型巻取ユニット
ＧＡ  ラベル供給ユニットのグループ
ＧＢ  ラベル貼付ユニットのグループ
ＧＣ  巻取ユニットのグループ
１０  供給リール
１２  被取付部
１３  支持部
Ｓ  取付ビス
１４  取付孔
１５  共用取付部
１６  雌ネジ部
２０  貼付ローラ
２１  カバー
２２  吸着板
２３  被取付部
２４  取付孔
２５  取付部
２６  雌ネジ部
２７  被取付部
３０  取付体
３１  共用取付部
３２  取付板
３３  エア供給ボックス
３４  取付孔
３５  取付体取付部
３６  カバー
３７  固定板
４０  剥離板
４１  ガイド板
４２  被取付部
４３  取付孔
４４  共用取付部
４５  ロッド
４６  雌ネジ部
５０  巻取リール
５１  被取付部
５２  切欠き孔
５３  支持部
５４  取付孔
５５  共用取付部
５６  雌ネジ部
５７  めくら板
５８  取付孔
５９  雌ネジ部
【図１】
2006016022.tif 000003
【図２】
2006016022.tif 000004
【図３】
2006016022.tif 000005
【図４】
2006016022.tif 000006
【図５】
2006016022.tif 000007